(57)【要約】【課題】  給湯器の運転に伴い換気扇が自動的に作動されて室内の空気環境は常に良好に保たれ、その際、給湯器の運転により水栓カランへと供給される湯水の流れが有効利用されて発電され、節電が図られて配線工事も複雑とならない給湯換気装置を提供する。【解決手段】  室内に給湯器１と換気扇２とを備え、同給湯器１から水栓カラン３への配管４途中にこの配管４内を流れる湯水によって発電する水力発電機５を設けると共に、この水力発電機５の発電する電力を検知することにより前記換気扇２を作動させる制御手段６を設けてなる。【選択図】図１
2005048996.tif 000002
【特許請求の範囲】
【請求項１】
室内に給湯器と換気扇とを備え、同給湯器から水栓カランへの配管途中にこの配管内を流れる湯水によって発電する水力発電機を設けると共に、この水力発電機の発電する電力を検知することにより前記換気扇を作動させる制御手段を設けてなる給湯換気装置。
【請求項２】
制御手段は水力発電機の発電により電力供給を受けるものであることを特徴とする請求項１記載の給湯換気装置。
【請求項３】
制御手段は水力発電機の発電する電力を蓄える蓄電部を有するものであることを特徴とする請求項２記載の給湯換気装置。
【請求項４】
制御手段は検知部と送信部とを有し、この送信部は水力発電機の発電する電力を同検知部が検知することにより作動開始リモコン信号を発するものであり、換気扇は受信部を有し、この受信部が前記作動開始リモコン信号を受けることにより自動的に作動するものであることを特徴とする請求項１〜３のいずれか一つに記載の給湯換気装置。
【請求項５】
検知部が水力発電機の発電する電力を検知しなくなったときには送信部が作動停止リモコン信号を発するものであり、換気扇は受信部が同作動停止リモコン信号を受けることにより自動的に停止するものであることを特徴とする請求項４記載の給湯換気装置。
【発明の詳細な説明】
【技術分野】
【０００１】
本願発明は、室内に給湯器と換気扇とを備え、この換気扇を作動させたり停止させたりすることのできる給湯換気装置に関するものである。
【背景技術】
【０００２】
一般に、室内に設置される給湯器を運転している際には、室内の空気環境を良くするために換気扇を作動させるものである。この場合、換気扇を作動させるのには、換気扇に付設されるスイッチを手動操作している。しかしながら、換気扇のスイッチは比較的高所に位置するため、特に、小柄な女性等が同スイッチを手動操作することは困難であった。しかも、給湯器を運転している際に換気し忘れると、室内の空気環境が悪化して健康を害することにもなりかねない。又、給湯器の運転が終了した際に、換気扇を停止させる操作を忘れると、無駄な電力を消費することになる。
【０００３】
このような問題を解決するため、給湯器の運転と換気扇の作動とが連動するように両者を配線接続することも考えられるが、そうすると、配線工事を行わねばならず、特に、給湯器及び換気扇が既設である場合には、同配線工事が複雑で困難となり外観的にも配線が露出して良くないものとなる。
【０００４】
一方、水栓カランへの配管途中に水力発電機を設け、この水力発電機の発電する電力を活用して照明器具のような電気機器を作動させる技術も、例えば、特開昭５１−３１８１０号公報、特開平５７−６８５６７号公報、実開昭６３−１５１９７９号公報等に示されるように知られている。これ等の技術は、配管内を流れる水の流れを有効利用して電力供給が受けられるようにし、節電を図ろうとするものである。
【特許文献１】特開昭５１−３１８１０号公報
【特許文献２】特開平５７−６８５６７号公報
【特許文献３】実開昭６３−１５１９７９号公報
【発明の開示】
【発明が解決しようとする課題】
【０００５】
本願発明は、上記従来の技術に鑑みて発明されたものであり、その課題は、給湯器の運転に伴い換気扇が自動的に作動されて室内の空気環境は常に良好に保たれ、その際、給湯器の運転により水栓カランへと供給される湯水の流れが有効利用されて発電され、節電が図られて配線工事も複雑とならない給湯換気装置を提供することである。
【課題を解決するための手段】
【０００６】
上記課題を解決するために、本願発明の給湯換気装置は、室内に給湯器と換気扇とを備え、同給湯器から水栓カランへの配管途中にこの配管内を流れる湯水によって発電する水力発電機を設けると共に、この水力発電機の発電する電力を検知することにより前記換気扇を作動させる制御手段を設けてなるものである。
【発明の効果】
【０００７】
したがって、本願発明の給湯換気装置においては、給湯器が運転されるとこの給湯器から水栓カランへと湯水が供給され、給湯器から水栓カランへの配管途中には同湯水の流れを利用して発電する水力発電機が設けられていて、この水力発電機の発電する電力を検知して換気扇は自動的に制御作動され、室内の空気環境が常に良好に保たれる。しかも、その際、給湯器の運転により水栓カランへと供給される湯水の流れが有効利用されて水力発電機により発電され、節電が図られて配線工事も複雑とならない。
【発明を実施するための最良の形態】
【０００８】
図１、２は、本願の請求項１〜５全てに対応した第一の実施形態である給湯換気装置を示している。この実施形態の給湯換気装置は、室内に給湯器１と換気扇２とを備え、同給湯器１から水栓カラン３への配管４途中にこの配管４内を流れる湯水によって発電する水力発電機５を設けると共に、この水力発電機５の発電する電力を検知することにより前記換気扇２を作動させる制御手段６を設けてなる。
【０００９】
この実施形態の給湯換気装置において、制御手段６は水力発電機５の発電により電力供給を受けるものであり、この場合、同水力発電機５の発電する電力を蓄える蓄電部７を有してもいる。又、制御手段６は検知部８と送信部９とを有し、この送信部９は水力発電機５の発電する電力を同検知部８が検知することにより作動開始リモコン信号を発するものであり、換気扇２は受信部10を有し、この受信部10が前記作動開始リモコン信号を受けることにより自動的に作動するものである。そして、検知部８が水力発電機５の発電する電力を検知しなくなったときには送信部９が作動停止リモコン信号を発するものであり、換気扇２は受信部10が同作動停止リモコン信号を受けることにより自動的に停止するものである。
【００１０】
以下、この実施形態の給湯換気装置を、より具体的詳細に説明する。この実施形態の給湯換気装置は、図２に示す如く、台所に設置施工されるものである。この場合、給湯器１は台所の室内壁面に設置固定され、流し台11のシンク12後方に立設された水栓カラン３へと同給湯器１から湯水が供給される。流し台11にはシンク12の側方にレンジやコンロ等のガス調理器13が並設されており、このガス調理器13の上方位置で台所の室内壁面に換気扇２が設置固定されている。換気扇２はレンジフード14を備えたものであり、同換気扇２からガス調理器13で生じる煙や熱気或いは給湯器１からの熱気等が排気される。なお、レンジフード14の下端付近の前面には、後述する受信部10が設けられている。
【００１１】
図１に示す如く、給湯器１には上水道配管15から水が供給されるもので、この上水道配管15の途中には同給湯器１への水の供給を停止させることのできる止水栓16が設けられている。そして、給湯器１から水栓カラン３への配管４の途中には、この配管４内を流れる湯水によって発電する水力発電機５が設けられている。この水力発電機５としては、例えば、水車状回転羽根やスクリュー状回転羽根等を用いたものがあり、配管４内の湯水の流れを回転運動に変換して発電するものである。
【００１２】
又、水栓カラン３は湯水混合水栓であり、前記給湯器１から供給される湯と別の上水道配管17から供給される水とを混合し、適宜温度に調整して前記シンク12内へと吐水するものである。その際、水栓カラン３の操作レバー19により温度調整或いは吐水・止水操作され、吐水口18から適宜温度に調整された湯水が吐水される。なお、水栓カラン３へと水を供給する上水道配管17にも、同水栓カラン３への水の供給を停止させることのできる止水栓16が設けられており、この上水道配管17や前記上水道配管15、配管４等は、図２に示す如く、台所の室内壁面に沿って流し台11の背方で配管施工されている。又、前記水力発電機５や後述する制御手段６等は、流し台11の内部スペースに収容設置されている。
【００１３】
そして、図１に示す如く、制御手段６はボックス形状となる制御ユニットとして設置固定されている。制御手段６には、水力発電機５の発電した電力を検知する検知部８及びこの検知部８の検知によって換気扇２を作動させるマイコン等で構成された制御部20が設けられている。又、制御手段６には、水力発電機５の発電する電力を蓄える蓄電部７として二次電池が設けられており、同蓄電部７で蓄えられた電力を利用して前記検知部８や制御部20、後記送信部９等が作動される。又、制御手段６には、前記検知部８の検知により作動開始リモコン信号を発信する発振子等で構成された送信部９が設けられている。
【００１４】
又、送信部９からは、前記作動開始リモコン信号だけでなく作動停止リモコン信号も発信されるものであり、この作動停止リモコン信号は、前記検知部８が検知しなくなったときに発信されるものである。そして、送信部９から発信される作動開始リモコン信号及び作動停止リモコン信号は、換気扇２に設けられる受光モジュール等で構成された受信部10にて受信されるもので、この受信部10にて作動開始リモコン信号が受信されたときには同換気扇２の運転が作動開始され、作動停止リモコン信号が受信されたときには同運転が停止される。このように、換気扇２は、給湯器１が運転されることで水栓カラン３へと湯水が供給されるこの湯水の流れの有無に対応して、作動或いは停止するように連動制御されるものである。なお、前記換気扇２の運転が作動停止される際には、水力発電機５からの電力供給が絶たれたことを前記検知部８が検知して、その数分後（２〜３分後）に前記送信部９から作動停止リモコン信号が発信されて前記換気扇２の運転は停止される。
【００１５】
したがって、この実施形態の給湯換気装置においては、給湯器１が運転されるとこの給湯器１から水栓カラン３へと湯水が供給され、給湯器１から水栓カラン３への配管４途中には同湯水の流れを利用して発電する水力発電機５が設けられていて、この水力発電機５の発電する電力を検知して換気扇２は自動的に制御作動され、室内の空気環境が常に良好に保たれる。しかも、その際、給湯器１の運転により水栓カラン３へと供給される湯水の流れが有効利用されて水力発電機５により発電され、節電が図られて配線工事も複雑とならない。
【００１６】
又、この実施形態の給湯換気装置においては、制御手段６が水力発電機５の発電により電力供給を受けるものであるので、同制御手段６を動作させるための電力が節電され、そのための配線工事も不要となる。しかも、この場合、制御手段６が水力発電機５の発電する電力を蓄える蓄電部７を有するものであるので、この蓄電部７に電力を蓄えて有効に利用することができる。例えば、水力発電機５で発電された電力を蓄電部７に蓄えて、同電力を照明器具や冷蔵庫等の電気機器の電源として活用することもできる。
【００１７】
又、この実施形態の給湯換気装置においては、制御手段６が検知部８と送信部９とを有し、この送信部９は水力発電機５の発電する電力を同検知部８が検知することにより作動開始リモコン信号を発するものであり、換気扇２は受信部10を有し、この受信部10が前記作動開始リモコン信号を受けることにより自動的に作動するものであるので、換気扇２と制御手段６とを有線接続することなく同換気扇２は制御作動されるようになり、配線工事がより簡略化される。又、この場合、検知部８が水力発電機５の発電する電力を検知しなくなったときには送信部９が作動停止リモコン信号を発するものであり、換気扇２は受信部10が同作動停止リモコン信号を受けることにより自動的に停止するものであるので、リモコン制御により同換気扇２は自動的に作動及び停止され、この換気扇２の付け忘れ及び消し忘れが確実に防止される。
【００１８】
図３は、本願の請求項１〜５全てに対応した第二の実施形態である給湯換気装置を示している。この実施形態の給湯換気装置では、水力発電機５と水栓カラン３との間の配管４の途中に止水ユニット21を設けており、この止水ユニット21には電磁弁22が設けられている。そして、水力発電機５の発電する電力を検知する検知部８の検知結果に応じて電磁弁22が開閉動作されるものであり、この開閉動作のための電力は同水力発電機５の発電する電力で賄われる。又、制御手段６の制御部20では、水力発電機５の発電する電力が予め設定したしきい値以下であると、前記電磁弁22を閉じるように動作制御する。
【００１９】
この場合、水力発電機５の発電する電力が予め設定したしきい値以下であるということは、水栓カラン３の操作レバー19で止水操作されたものとみなすものであり、その際、電磁弁22が閉じられることで、不十分な止水操作による湯水の出っぱなしが確実に防止される。又、制御手段６にはタイマーが設けられており、このタイマーによって水力発電機５の発電する電力が所定時間を越えて検知され続けたことが計時された場合にも、前記電磁弁22は閉じるように動作制御されるものであり、これによって、操作レバー19の止水操作忘れによる湯水の出しっぱなしが確実に防止される。このように、この実施形態の給湯換気装置においては、水の無駄な浪費が防止される。
【００２０】
又、前記電磁弁22は開状態及び閉状態を維持する保持形（ラッチ式）のものであり、開及び閉の定常状態では電力を消費しないものであって、水力発電機５の発電する電力でも十分に動作され得るものである。更に、水栓カラン３には、前記電磁弁22の閉じるように動作される制御を無効とする切替スイッチ23が設けられており、凍結防止等のために長時間少量の吐水を継続させたいような場合に、同切替スイッチ23を操作して電磁弁22が閉じられないようにすることもできる。又、前記の如く、電磁弁22が閉じるように動作制御された場合、水栓カラン３の操作レバー19を確実に止水操作し直すことで制御手段６の制御部20はリセットされ、これと共に同電磁弁22が開動作される。なお、それ以外は、上記第一の実施形態と同様に構成されており、同第一の実施形態におけると同様の作用効果が奏される。
【図面の簡単な説明】
【００２１】
【図１】本願発明の第一の実施形態である給湯換気装置を示す要部構成図。
【図２】同給湯換気装置を示す外観斜視図。
【図３】本願発明の第二の実施形態である給湯換気装置を示す要部構成図。
【符号の説明】
【００２２】
１  給湯器
２  換気扇
３  水栓カラン
４  配管
５  水力発電機
６  制御手段
７  蓄電部
８  検知部
９  送信部
10  受信部
【図１】
2005048996.tif 000003
【図２】
2005048996.tif 000004
【図３】
2005048996.tif 000005